(57)【特許請求の範囲】
【請求項１】
プラントの現在の運転状態を示す現在トレンドデータと前記プラントの運転状態において発生した現象及び当該現象に関するデータとを収集し、当該現在トレンドデータに基づく現在トレンドグラフと、予め用意された参照トレンドデータに基づく参照トレンドグラフとを表示手段の画面上に重ね合わせて表示するようにしたプラント情報管理システムにおいて、
前記現在トレンドデータを除去する除去開始条件と当該除去開始条件に対応する除去終了条件との組を複数記憶する記憶手段と、
前記現象及び当該現象に関するデータが前記除去開始条件に適合する時刻から当該除去開始条件に対応する前記除去終了条件に適合する時刻までの期間の現在トレンドデータを除去し、前記除去開始条件に適合する時刻の現在トレンドデータと前記除去終了条件に適合する時刻の現在トレンドデータとを時間的に連続させるトレンド編集手段を備えたこと、
を特徴とするプラント情報管理システム。
【請求項２】
前記除去開始条件と前記除去終了条件とは、
前記プラントにおいて発生した２つの異なる現象であること、
を特徴とする請求項１に記載のプラント情報管理システム。
【請求項３】
前記除去開始条件と前記除去終了条件とは、
前記プラントにおいて予め複数の条件から識別される現象の異なる２つの条件であること、
を特徴とする請求項１に記載のプラント情報管理システム。
【請求項４】
前記記憶手段は、
前記プラント情報管理システムが前記プラントの監視及び管理を行わない予め設定された運転停止期間を複数記憶しており、
前記トレンド編集手段は、
前記運転停止期間の現在トレンドデータを除去し、当該運転停止期間の開始時刻の現在トレンドデータと、当該運転停止期間の終了時刻の現在トレンドデータとを時間的に連続させること、
を特徴とする請求項１から３のいずれか一項に記載のプラント情報管理システム。
【請求項５】
指定期間の設定指示を受け付ける操作手段を備え、
前記トレンド編集手段は、
前記指定期間の開始時刻から終了時刻までの期間の現在トレンドデータを除去し、当該指定期間の開始時刻の現在トレンドデータと、当該指定期間の終了時刻の現在トレンドデータとを時間的に連続させること、
を特徴とする請求項１から４のいずれか一項に記載のプラント情報管理システム。
【請求項６】
プラントの現在の運転状態を示す現在トレンドデータと前記プラントの運転状態において発生した現象及び当該現象に関するデータとを収集し、当該現在トレンドデータに基づく現在トレンドグラフと、予め用意された参照トレンドデータに基づく参照トレンドグラフとを表示手段の画面上に重ね合わせて表示するようにしたプラント情報管理方法において、
前記現象及び当該現象に関するデータが前記現在トレンドデータを除去する除去開始条件に適合する時刻から当該除去開始条件に対応する除去終了条件に適合する時刻までの期間の現在トレンドデータを除去し、前記除去開始条件に適合する時刻の現在トレンドデータと、前記除去終了条件に適合する時刻の現在トレンドデータとを時間的に連続させるトレンド編集工程を含むこと、
を特徴とするプラント情報管理方法。
【請求項７】
コンピュータを、
プラントの現在の運転状態を示す現在トレンドデータと前記プラントの運転状態において発生した現象及び当該現象に関するデータとを収集し、当該現在トレンドデータに基づく現在トレンドグラフと、予め用意された参照トレンドデータに基づく参照トレンドグラフとを表示手段の画面上に重ね合わせて表示するよう機能させるプログラムにおいて、
前記現象及び当該現象に関するデータが前記現在トレンドデータを除去する除去開始条件に適合する時刻から当該除去開始条件に対応する除去終了条件に適合する時刻までの期間の現在トレンドデータを除去し、前記除去開始条件に適合する時刻の現在トレンドデータと、前記除去終了条件に適合する時刻の現在トレンドデータとを時間的に連続させるトレンド編集手段として機能させること、
を特徴とするプログラム。 
【発明の詳細な説明】
【技術分野】
【０００１】
本発明は、プラントの運転状態を示すトレンドグラフの表示を行うプラント情報管理システム、プラント情報管理方法及びプログラムに関する。
【背景技術】
【０００２】
近年のプラントは、プラント各部の生産工程や各種電機機器等から収集されたトレンドデータに基づいてプロセス制御システム（ＰＣＳ：Process Control System）により運転制御されている。プロセス制御システムとしては、分散型制御システム（ＤＣＳ；Distributed Control System）やプログラマブルコントローラ（ＰＬＣ；Programmable Logic Controller）が知られている。
【０００３】
プラントの運転制御の支援やプラントの状態解析を行う技術として、基準となる参照トレンドデータのグラフ（以下、参照トレンドグラフと言う。）と、現在運転中のトレンドデータのグラフ（以下、現在トレンドグラフと言う。）とを表示手段の画面上に重ね合わせて表示させるようにしたプラント情報管理システム（ＰＩＭＳ；Plant Information Management System）がある。
【０００４】
このプラント情報管理システムを用いることにより、参照トレンドグラフと現在トレンドグラフとを同一画面上で比較することができ、その比較結果に基づいて現在の運転状態を参照トレンドグラフに適合させるようプロセス制御システムの運転制御を行うことで、プラントの最適運転が可能となる。
【０００５】
参照トレンドデータとしては、例えば、過去のプラントの運転時に収集されたトレンドデータ（以下、過去トレンドデータと言う。）の中から好適な運転パターンを示すデータが採用される。過去トレンドデータは、ＨＤＤ等の記憶手段にデータベース（ＤＢ）化されて格納されており、検索手段により抽出が可能である。
【０００６】
図６に、従来のプラント情報管理システム１のシステム構成図の一例を示す。
図６に示すように、従来のプラント情報管理システム１は、プラントの運転制御を行うプロセス制御システム２からプラントの運転状態を示す現在トレンドデータやアラーム及びイベントデータを含むプロセスデータを外部Ｉ／Ｆ５０を介して収集し、収集した現在トレンドデータに対して比較対象となる過去のデータや予め設定された典型的なデータが記憶されているトレンドＤＢ２１を有する記憶手段２０から現在トレンドデータの比較対象となるデータ（以下、参照トレンドデータと言う。）を読み出し、読み出された参照トレンドデータに基づく参照トレンドグラフと収集された現在トレンドデータに基づく現在トレンドグラフとを重ね合わせ、重ね合わせトレンドグラフとして表示手段４０に表示させるデータ収集手段１１、検索手段１２、重ね合わせ手段１３を有する制御手段１０を備えている。
【０００７】
このように現在トレンドデータと参照トレンドデータとの重ね合わせ処理において、現在トレンドデータの開始点と参照トレンドデータの開始点とを一致させるために、例えば、収集されたデータ（現在トレンドデータ）に関して参考となるガイドデータ（参照トレンドデータ）から構成される参照パターンの先頭表示位置をトレンドグラフの時間軸上で指定する参照パターン表示位置指定手段と、参照パターン表示位置指定手段によって指定された時間軸上の指定位置に参照パターンの先頭が位置するように参照パターンを表示する参照パターン表示手段をもうけたトレンドグラフ表示装置が開示されている（特許文献１参照）。
【特許文献１】特開平５−３４０７７０号公報
【発明の開示】
【発明が解決しようとする課題】
【０００８】
しかしながら、上記従来のプラント情報管理システムにおいては、例えば、プラントの稼動が何らかの理由で一次中断し、その後中断理由が解消され稼動再開された場合や、プラント情報管理システムを操作するオペレータが不在の期間が発生した場合など、中断期間が生じた場合には、参照トレンドデータと現在トレンドデータとの時間経過が異なる。従って、現在トレンドデータの開始時刻と参照トレンドデータの開始時刻を合わせて重ね合わせた場合には、中断後の現在トレンドデータと参照トレンドデータとが対応せず、又、中断後の時刻において現在トレンドデータと参照トレンドデータを合わせて重ね合わせた場合には、中断前の現在トレンドデータと参照トレンドデータとが対応しないため、トレンドデータの重ね合わせが困難になるという問題がある。
【０００９】
本発明の課題は、中断期間が存在しても現在トレンドデータと参照トレンドデータが時系列的に対応して重ね合わされ、プラントの運転改善を図るための操作性及び監視効率が向上されたプラント情報管理システム、プラント情報管理方法及びプログラムを実現することである。
【課題を解決するための手段】
【００１０】
請求項１に記載の発明は、プラントの現在の運転状態を示す現在トレンドデータと前記プラントの運転状態において発生した現象及び当該現象に関するデータとを収集し、当該現在トレンドデータに基づく現在トレンドグラフと、予め用意された参照トレンドデータに基づく参照トレンドグラフとを表示手段の画面上に重ね合わせて表示するようにしたプラント情報管理システムにおいて、前記現在トレンドデータを除去する除去開始条件と当該除去開始条件に対応する除去終了条件との組を複数記憶する記憶手段と、前記現象及び当該現象に関するデータが前記除去開始条件に適合する時刻から当該除去開始条件に対応する前記除去終了条件に適合する時刻までの期間の現在トレンドデータを除去し、前記除去開始条件に適合する時刻の現在トレンドデータと前記除去終了条件に適合する時刻の現在トレンドデータとを時間的に連続させるトレンド編集手段を備えたプラント情報管理システムであること、を特徴としている。
更に、コンピュータに対して、上述した請求項１に記載の発明に示した主要手段を機能させるためのプログラムを提供する（請求項７に記載の発明）。 
【００１１】
請求項２に記載の発明は、請求項１記載のプラント情報管理システムにおいて、前記除去開始条件と前記除去終了条件とは、前記プラントにおいて発生した２つの異なる現象であること、を特徴としている。 
【００１２】
請求項３に記載の発明は、請求項１記載のプラント情報管理システムにおいて、前記除去開始条件と前記除去終了条件とは、前記プラントにおいて予め複数の条件から識別される現象の異なる２つの条件であること、を特徴としている。 
【００１３】
請求項４に記載の発明は、請求項１から３のいずれか一項に記載のプラント情報管理システムにおいて、前記記憶手段は、前記プラント情報管理システムが前記プラントの監視及び管理を行わない予め設定された運転停止期間を複数記憶しており、前記トレンド編集手段は、前記運転停止期間の現在トレンドデータを除去し、当該運転停止期間の開始時刻の現在トレンドデータと、当該運転停止期間の終了時刻の現在トレンドデータとを時間的に連続させること、を特徴としている。 
【００１４】
請求項５に記載の発明は、請求項１から４のいずれか一項に記載のプラント情報管理システムにおいて、指定期間の設定指示を受け付ける操作手段を備え、前記トレンド編集手段は、前記指定期間の開始時刻から終了時刻までの期間の現在トレンドデータを除去し、当該指定期間の開始時刻の現在トレンドデータと、当該指定期間の終了時刻の現在トレンドデータとを時間的に連続させること、を特徴としている。 
【００１６】
請求項６に記載の発明は、プラントの現在の運転状態を示す現在トレンドデータと前記プラントの運転状態において発生した現象及び当該現象に関するデータとを収集し、当該現在トレンドデータに基づく現在トレンドグラフと、予め用意された参照トレンドデータに基づく参照トレンドグラフとを表示手段の画面上に重ね合わせて表示するようにしたプラント情報管理方法において、前記現象及び当該現象に関するデータが前記現在トレンドデータを除去する除去開始条件に適合する時刻から当該除去開始条件に対応する除去終了条件に適合する時刻までの期間の現在トレンドデータを除去し、前記除去開始条件に適合する時刻の現在トレンドデータと、前記除去終了条件に適合する時刻の現在トレンドデータとを時間的に連続させるトレンド編集工程を含むプラント情報管理方法であること、を特徴としている。 
【発明の効果】
【００１７】
請求項１、６、７に記載の発明によれば、中断期間が存在しても、中断期間をプラントの運転状態において発生した現象及び当該現象に関するデータが除去開始条件に適合する時刻から当該除去開始条件に対応する除去終了条件に適合する時刻までの期間として、現在トレンドデータから現象及び当該現象に関するデータが除去開始条件に適合する時刻から当該除去開始条件に対応する除去終了条件に適合する時刻までの期間のデータの除去が行われ、除去開始条件に適合する時刻と除去終了条件に適合する時刻の現在トレンドデータとが時間的に連続するように接合されるため、現象及び当該現象に関するデータが除去開始条件に適合する時刻から当該除去開始条件に対応する除去終了条件に適合する時刻までの期間の現在トレンドデータが除去された現在トレンドデータに基づく現在トレンドグラフと参照トレンドグラフとが重ね合わされて、重ね合わせトレンドグラフとして表示手段の画面上に表示させることができる。従って、現象及び当該現象に関するデータが除去開始条件に適合する時刻から当該除去開始条件に対応する除去終了条件に適合する時刻までの期間経過後の参照トレンドグラフが現在トレンドグラフよりも現象及び当該現象に関するデータが除去開始条件に適合する時刻から当該除去開始条件に対応する除去終了条件に適合する時刻までの期間の時間だけ進んだグラフとならず、現象及び当該現象に関するデータが除去開始条件に適合する時刻から当該除去開始条件に対応する除去終了条件に適合する時刻までの期間以降の時刻であっても現在トレンドグラフと参照トレンドグラフとを比較することができる重ね合わせトレンドグラフを表示させることできるため、プラントの操作性及び監視効率の向上を図ることができる。 
【００１８】
請求項２に記載の発明によれば、請求項１と同様の効果を得られるのは勿論のこと、除去開始条件と前記除去終了条件とが、プラントにおいて発生した２つの異なる現象であることにより、ユーザ（プラント情報管理システムを操作するオペレータ）の指示なしにプラントにおいて発生した現象に応じて現在トレンドデータが除去されるため、利便性を向上させることができる。
【００１９】
請求項３に記載の発明によれば、請求項１と同様の効果を得られるのは勿論のこと、除去開始条件と除去終了条件とが、プラントにおいて予め複数の条件から識別される現象の異なる２つの条件であることにより、ユーザ（プラント情報管理システムを操作するオペレータ）の指示なしにプラントにおいて発生した現象の条件に応じて現在トレンドデータが除去されるため、利便性を向上させることができる。
【００２０】
請求項４に記載の発明によれば、請求項１から３のいずれか一項と同様の効果を得られるのは勿論のこと、ユーザ（プラント情報管理システムを操作するオペレータ）の指示なしに現在トレンドデータが除去されるため、利便性を向上させることができる。 
【００２１】
請求項５に記載の発明によれば、請求項１から４のいずれか一項と同様の効果を得られるのは勿論のこと、指定期間の設定指示を受け付ける操作手段を備えることにより、プラント情報管理システムを操作するオペレータが任意に現在トレンドデータを除去する期間を設定することができるため、ユーザ（プラント情報管理システムを操作するオペレータ）の動向に応じて現在トレンドデータを除去する期間を設定することができ、利便性及び操作性を向上させることができる。
【発明を実施するための最良の形態】
【００２３】
以下、図を参照して本発明の実施の形態を詳細に説明する。なお、この発明にはこの実施の形態に限定されるものではない。また、この発明の実施の形態は、発明の最も好ましい形態を示すものであり、この発明の用語はこれに限定されない。
【００２４】
以下、図を参照して本発明の実施の形態を詳細に説明する。
まず、構成を説明する。
【００２５】
図１に、本実施の形態におけるプラント情報管理システム３のシステム構成図を示す。
なお、従来のプラント情報管理システム１と同様の個所には同一符号を付している。
【００２６】
プロセス制御システム２は、発電、石油精製、鉄鋼、ガスなどのプラントの生産工程や各種電機機器等を制御するシステムであり、例えば、分散型制御システム（ＤＣＳ；Distributed Control System）やプログラマブルコントローラ（ＰＬＣ；Programmable Logic Controller）等を挙げることができる。
【００２７】
プラント情報管理システム３は、プロセス制御システム２からプロセスデータを収集し、収集したプロセスデータに基づいてプロセス制御システム２の運転制御の支援やプラントの状態解析を行うことを目的としたシステムである。
【００２８】
プロセス制御システム２から収集されるプロセスデータは、プラントの運転状態を示すデータ（現在トレンドデータ）とアラーム及びイベントデータとを含む。
【００２９】
アラーム及びイベントデータは、監視対象となる生産工程や各種機器の動作状態において異常状態又は重要な現象等を通知する警報や、特定の現象が発生した際に、当該現象が発生した旨を示すデータ及び発生した現象に関するデータである。
【００３０】
図２に、アラーム及びイベントデータの一例を示す。
アラーム及びイベントデータは、複数に分類することができる。アラーム及びイベントデータの種類としては、発生した現象に対するデータ（例えば、プロセスアラーム）や、予め定められた処理の状態を示すデータ（例えば、バッチステータス）などに分類することができ、更に、発生した場所やその状態の内容等のアラーム及びイベントデータを特定する各種条件に基づいて分類することができる。
【００３１】
例えば、「プロセスアラーム，タグ１，ＨＩ」というアラーム及びイベントデータであった場合、アラーム及びイベントデータの種類がプロセスアラームであり、タグ１に相当する温度センサの温度が上限値を超えたことを意味する。なお、タグとは、温度センサ、圧力センサ、流量センサ等の計測機器、バルブ開閉回路や火力調整機器等の調整機器等を含むフィールド機器を示す。
【００３２】
なお、アラーム及びイベントデータは、ＯＰＣ（ＯＬＥ for Process Control）Foundation規格に準拠したデータであることが好ましい。
【００３３】
図１に示すように、本実施の形態におけるプラント情報管理システム３は、プロセス制御システム２と通信可能に接続されており、制御手段６０、記憶手段７０、操作手段３０、表示手段４０、外部Ｉ／Ｆ５０を備え、各部は電気的に接続されている。
【００３４】
制御手段６０は、ＣＰＵ（Central Processing Unit）、ＲＯＭ（Read Only Memory）、ＲＡＭ（Random Access Memory）等から構成され、記憶手段７０やＲＯＭ内に格納されているシステムプログラム、各種制御プログラム、各種データ等をＲＡＭ内に展開し、これらのプログラム及びデータとの協働により、プラント情報管理システム３の動作全般を統括的に制御する。また、制御手段６０は、ＲＡＭに展開したプログラムに従って各種処理を実行し、その処理結果をＲＡＭ又は記憶手段７０に格納するとともに、表示手段４０に表示させる。
【００３５】
制御手段６０は、ＣＰＵ、ＲＯＭ、ＲＡＭ及び記憶手段等の各部の協働により、ＲＯＭに記憶されているプログラムやデータ及び記憶手段７０に記憶されている各種データをＲＡＭ等に展開し、操作手段３０やプロセス制御システム２から入力される各種データに従って、プラントの現在の運転状態を示す現在トレンドデータを外部Ｉ／Ｆ５０を介して収集するデータ収集手段１１と、収集した現在トレンドデータに対して比較対象となる過去のデータや予め設定された典型的なデータが記憶されているトレンドＤＢ２１を有する記憶手段７０から現在トレンドデータの比較対象となる参照トレンドデータを読み出す検索手段１２と、読み出された参照トレンドデータに基づく参照トレンドグラフと収集された現在トレンドデータに基づく現在トレンドグラフとを重ね合わせて、重ね合わせトレンドグラフとして表示手段４０に表示させる重ね合わせ手段１３としての機能を実現する。
【００３６】
また、制御手段６０は、特定期間、即ち、操作手段３０から指定された指定期間、予め記憶手段２０に記憶されている運転停止期間又は除去開始・終了条件に基づく期間、に対応する現在トレンドデータを除去し、当該特定期間に対応する現在トレンドデータが除去された現在トレンドデータに対して、特定期間の開始時刻の現在トレンドデータと特定期間の終了時刻の現在トレンドデータとを時間的に連続させて接合させるトレンド編集手段１４としての機能を実現する。
【００３７】
記憶手段７０は、電気的に消去及び書き換えが可能な不揮発性の記憶媒体を備え、この記憶媒体内に、トレンドＤＢ２１と運転停止期間ＤＢ２２、除去開始・終了条件ＤＢ２３を記憶している。電気的に消去及び書き換えが可能な不揮発性の記憶媒体としては、例えば、ＨＤＤ（Hard Disk Drive）、ＥＥＰＲＯＭ（Electrically Erasable and Programmable ROM）やフラッシュメモリなどが挙げられる。
【００３８】
トレンドＤＢ２１は、プロセス制御システム２から過去に外部Ｉ／Ｆ５０を介して収集されたプラントの運転状態を示す過去トレンドデータ、現在トレンドデータ、予め設定されたプラントの運転状態を示す典型的なデータ（標準トレンドデータ）が記憶されている。
【００３９】
運転停止期間ＤＢ２２は、特定期間として、プラント情報管理システム３がプロセス制御システム２に対して監視及び管理を行わない予め設定された期間（運転停止期間）が複数記憶されている。運転停止期間としては、例えば、カレンダー機能を用いて、プラント情報管理システム３を操作するオペレータの昼休み期間や、夜間等を挙げることができる。
【００４０】
このように、特定期間として運転停止期間が記憶されていることにより、ユーザ（プラント情報管理システムを操作するオペレータ）の指示なしに現在トレンドデータが除去されるため、利便性を向上させることができる。
【００４１】
除去開始・終了条件ＤＢ２３は、現在トレンドデータを除去する除去開始条件と除去終了条件との組が複数記憶されている。除去開始・終了条件ＤＢ２３には、プロセス制御システム２において発生した２つの異なる現象、即ち２つの異なる種類のアラーム及びイベントデータが除去開始条件及び除去終了条件として設定されている場合と、プロセス制御システム２において発生する予め複数の条件から識別される現象の異なる２つの条件、即ちアラーム及びイベントデータを特定する２つの異なる条件が除去開始条件及び除去終了条件として設定されている場合とがある。アラーム及びイベントデータが除去開始条件に適合した時刻から除去終了条件に適合した時刻までが特定期間となる。
【００４２】
このように、特定期間がプラントにおいて発生した２つの異なる現象の間の期間又はプラントにおいて発生する予め複数の条件から識別される現象の異なる２つの条件の間の期間であることにより、ユーザ（プラント情報管理システムを操作するオペレータ）の指示なしにプロセス制御システムのおいて発生した現象に応じて現在トレンドデータが除去されるため、利便性を向上させることができる。
【００４３】
図３に、除去開始・終了条件ＤＢ２３の例を示す。
図３に示すように、除去開始条件と、除去開始条件に対応する除去終了条件とからなる除去開始・終了条件を示すレコードが複数記憶されている。
【００４４】
図３に示す２３１が示すレコードの除去開始条件は「プロセスアラーム，タグ１，ＨＩ」に設定されており、除去終了条件は「プロセスアラーム，タグ１，ＨＩ復帰」に設定されている。即ち、プロセスアラームであってタグ１に相当する温度センサの温度が上限値を超えた場合が除去開始条件であり、プロセスアラームであってタグ１に相当する温度センサの温度が上限値内に復帰した場合が除去終了条件であることを示している。従って、図３に示す２３１が示すレコードには、アラーム及びイベントデータを特定する条件が全て指定されており、除去開始条件と除去終了条件とは互いに異なる現象としてのアラーム及びイベントデータが設定されている。
【００４５】
図３に示す２３２が示すレコードの除去開始条件は「バッチステータス，一時停止」に設定されており、除去終了条件は「バッチステータス，運転再開」に設定されている。即ち、アラーム及びイベントデータの種類がバッチステータスであり、発生場所に関わらず一時停止された場合が除去開始条件であり、アラーム及びイベントデータの種類がバッチステータスであり、発生場所に関わらず運転が再開された場合が除去終了条件であることを示している。従って、図３に示す２３２が示すレコードには、アラーム及びイベントデータを特定する条件が全て指定されていないが、複数の条件から分類されるアラーム及びイベントデータが除去開始条件と除去終了条件として設定されている。
【００４６】
操作手段３０は、カーソルキー、数字入力キー及び各種機能キー等を備えたキーボード、ポインティングデバイスであるマウス等や、表示手段の表示画面を覆うように設けられたタッチパネル等を備え、キーボードやタッチパネルで押下された押下信号を制御手段６０に出力するとともに、マウスによる操作信号を操作部６０に出力する。
【００４７】
また、操作手段３０は、特定期間の設定指示を受け付ける機能を実現する。操作手段３０により受け付けられた特定期間とは、プラント情報管理システム３を操作するオペレータが任意に設定する指定期間であり、例えば、ユーザ（プラント情報管理システムを操作するオペレータ）が不定期の会議等に出席するためプラント情報管理システム３の操作を行うことができなかった期間を挙げることができる。
【００４８】
このように、特定期間としての指定期間の設定指示を受け付ける操作手段を備えることにより、プラント情報管理システムを操作するオペレータが任意に現在トレンドデータを除去する期間を設定することができるため、利便性及び操作性を向上させることができる。
【００４９】
上述した指定期間、運転停止期間、プラントデータとして現在トレンドデータと共に収集されたアラーム及びイベントデータが除去開始条件に適合した時刻から除去終了条件に適合した時刻までの期間は、プロセス制御システムの稼動が何らかの理由で一次中断し中断理由が解消された後再開された期間又はプラント情報管理システムを操作するオペレータが不在の期間としての中断期間となり、特定期間に対応する。
【００５０】
表示手段４０は、例えば、ＬＣＤ（Liquid Crystal Display）やＥＬ（Electro Luminescence）ディスプレイ等によって構成され、制御手段６０から入力される表示指示に従って各種情報を表示画面上に表示を行うと共に、重ね合わせトレンドグラフを表示する機能を実現する。
【００５１】
外部Ｉ／Ｆ５０は、プロセス制御システム２と通信可能に接続するためのインターフェースであり、プラント情報管理システム３とプロセス制御システム２との間でデータの転送速度の調整や、データ形式の変換を行い、両者のデータのやり取りを仲介する。外部Ｉ／Ｆ５０の仕様としては、アプリケーション間通信インターフェースの統一仕様であるＯＰＣ Foundation規定に準拠するインターフェースであることが好ましい。
【００５２】
次に、本実施の形態の動作を説明する。
図４に、本実施の形態におけるトレンドデータの重ね合わせ処理のフローチャートを示す。図４に示すトレンドデータの重ね合わせ処理は、制御手段６０が備えるＣＰＵと、ＲＯＭ、ＲＡＭに記憶されたプログラム及び各種データと記憶手段７０に記憶された各種データとの協働によるソフトウェア処理により実現される。
【００５３】
前提条件として、操作手段３０により受け付けられた参照トレンドデータを検索する指示に基づいて、現在トレンドデータの比較対象としての参照トレンドデータが記憶手段７０のトレンドＤＢ２１から読み出されていることとする。
【００５４】
外部Ｉ／Ｆ５０を介して接続されたプロセス制御システム２から最新の現在トレンドデータとアラーム及びイベントデータを含むプロセスデータが収集され、収集されたプロセスデータが記憶手段７０に記憶されると共に、収集された最新の現在トレンドデータが現在トレンドデータとして更新される（ステップＳ１）。
【００５５】
操作手段３０により指定期間の設定指示が受け付けられたか否かが判別され（ステップＳ２）、指定期間の設定指示が受け付けられたと判別された場合（ステップＳ２；Ｙｅｓ）、指示された指定期間が特定期間として設定される（ステップＳ３）。
【００５６】
なお、特定期間として設定された指定期間の開始時刻が特定期間の開始時刻（除去開始時刻）、終了時刻が特定期間の終了時刻（除去終了時刻）と設定される。
【００５７】
指示期間の設定指示が受け付けられていないと判別された場合（ステップＳ２；Ｎｏ）、除去開始フラグはＯＮ状態か否かが判別される（ステップＳ４）。
【００５８】
除去開始フラグとは、現在トレンドデータと共に収集されるアラーム及びイベントデータが除去開始・終了条件ＤＢ２３の除去開始条件のいずれかに適合した場合にはＯＮ状態となり、除去開始フラグがＯＮ状態となった除去開始条件に対応する除去終了条件に適合した場合にはＯＦＦ状態となるフラグであると共に、現在トレンドデータの経過時刻が運転停止期間ＤＢ２２の運転停止期間の指定された開始時刻である場合にはＯＮ状態となり、除去開始フラグがＯＮ状態となった開始時刻に対応する終了時刻である場合にはＯＦＦ状態となるフラグである。
【００５９】
除去開始フラグがＯＮ状態であると判別された場合（ステップＳ４；Ｙｅｓ）、除去開始フラグが除去開始条件に基づいてＯＮ状態である場合には、除去開始条件に対応する除去終了条件に適合しているか否かが判別され、除去開始フラグが運転停止期間の開始時刻に基づいてＯＮ状態である場合には、開始時刻に対応する終了時刻が経過しているか否かが判別される（ステップＳ５）。
【００６０】
アラーム及びイベントデータは除去開始フラグがＯＮ状態となった除去開始条件に対応する除去終了条件に適合していないと判別された場合又は、開始時刻に対応する終了時刻が経過していないと判別された場合（ステップＳ５；Ｎｏ）、ステップＳ１４に進む。
【００６１】
アラーム及びイベントデータは除去開始フラグがＯＮ状態となった除去開始条件に対応する除去終了条件に適合していると判別された場合又は、開始時刻に対応する終了時刻の時刻が経過していると判別された場合（ステップＳ５；Ｙｅｓ）、除去終了時刻は除去終了条件が適合した時刻又は運転停止期間の終了時刻として設定される（ステップＳ６）。
【００６２】
除去終了時刻が設定された後（ステップＳ６後）、除去開始時刻から除去終了時刻までが特定期間として設定される（ステップＳ７）。
【００６３】
除去開始フラグがＯＮ状態でない（即ち、除去開始フラグがＯＦＦ状態である）と判別された場合（ステップＳ４；Ｎｏ）、アラーム及びイベントデータは、除去開始・終了条件ＤＢ２３が参照されて除去開始条件のいずれかに適合しているか否か、又は、運転停止期間ＤＢ２２が参照されて現在トレンドデータの時刻は、いずれかの運転停止期間の開始時刻よりも経過しているか否かが判別される（ステップＳ８）。
【００６４】
アラーム及びイベントデータは、除去開始・終了条件ＤＢ２３が参照されて除去開始条件のいずれにも適合していない、又は、運転停止期間ＤＢ２２が参照されて現在トレンドデータの時刻はいずれの運転停止期間の開始時刻よりも経過していないと判別された場合（ステップＳ８；Ｎｏ）、ステップＳ１４に進む。
【００６５】
アラーム及びイベントデータは、除去開始・終了条件ＤＢ２３が参照されて除去開始条件のいずれかに適合している、又は、運転停止期間ＤＢ２２が参照されて現在トレンドデータの経過時刻はいずれかの運転停止期間の開始時刻よりも経過していると判別された場合（ステップＳ８；Ｙｅｓ）、除去開始フラグがＯＮ状態に設定される（ステップＳ９）。
【００６６】
除去開始フラグがＯＮ状態に設定された後（ステップＳ９後）、除去開始時刻は除去開始条件が適合した時刻又は運転停止期間の開始時刻として設定され（ステップＳ１０）、ステップＳ１４に進む。
【００６７】
一方、特定期間が設定された後（ステップＳ３又はステップＳ７後）、設定された特定期間に対応する現在トレンドデータが除去され、特定期間に対応するデータが除去された現在トレンドデータに対して、除去開始時刻の現在トレンドデータと除去終了時刻の現在トレンドデータとが時間的に連続するように接合される編集処理が実行される（ステップＳ１１）。
【００６８】
特定期間の現在トレンドデータが除去されて接合された現在トレンドデータは、現在トレンドデータとして更新され（ステップＳ１２）、除去開始フラグがＯＦＦ状態に設定される（ステップＳ１３）。
【００６９】
ステップＳ５；Ｎｏ後、ステップＳ８；Ｎｏ後、ステップＳ１０後又はステップＳ１３後、現在トレンドデータに基づいて現在トレンドグラフが生成され、また、参照トレンドデータに基づいて参照トレンドグラフが生成され、生成された現在トレンドグラフと参照トレンドグラフとの重ね合わせ処理が実行されて重ね合わせトレンドグラフが生成され（ステップＳ１４）、生成された重ね合わせトレンドグラフが表示手段４０の表示画面上に表示される（ステップＳ１５）。
【００７０】
重ね合わせトレンドグラフが表示された後（ステップＳ１６後）、本処理の終了指示が操作手段３０により受け付けられたか否かが判別され（ステップＳ１６）、終了指示が受け付けられていないと判別された場合（ステップＳ１６；Ｎｏ）、ステップＳ１に戻り、終了指示が受け付けられたと判別された場合（ステップＳ１６；Ｎｏ）、本処理は終了される。
【００７１】
図５に、重ね合わせトレンドグラフの一例を示す。図５（ａ）に示す重ね合わせトレンドグラフは、本発明適用前の重ね合わせトレンドグラフの一例であり、図５（ｂ）に示す重ね合わせトレンドグラフは、本発明適用後の重ね合わせトレンドグラフの一例である。
【００７２】
図５に示す重ね合わせトレンドグラフは、座標軸として縦軸が温度、横軸が時刻に設定された現在トレンドデータに基づくグラフと参照トレンドデータに基づくグラフとが重ね合わされたグラフである。
【００７３】
例えば、プラント情報管理システム３を操作するオペレータは、図５に示す重ね合わせトレンドグラフを目視しながら現在トレンドグラフが参照トレンドグラフに追従するようにプロセス制御システム２の温度動向の監視及び管理を行うことができる。
【００７４】
図５（ａ）に示す実線は現在トレンドグラフＡ１を示し、破線は参照トレンドグラフＢを示す。図５（ａ）に示すように、時刻ｔｓから時刻ｔｅの期間が特定期間Ｔとなった場合、特定期間Ｔの間はプラントの監視及び管理を行うことができないため、運転監視及び管理状態であることを前提とした参照トレンドグラフＢと運転監視及び管理状態ではない現在トレンドグラフＡ１が表示されることととなり、現在トレンドデータＡ１は参照トレンドデータＢと比較することができない。また、特定期間Ｔ経過後（時刻ｔｅ後）の参照トレンドグラフＢは、現在トレンドグラフＡ１よりも特定期間Ｔの時間だけ進んだデータを示すグラフとなるため、ある時刻において現在トレンドデータＡ１と参照トレンドデータＢとを比較することができない。
【００７５】
本発明を図５（ａ）に適用した場合、図５（ａ）に示す特定期間Ｔは、上述した指定期間、運転停止期間、アラーム及びイベントデータが除去開始条件が適用された時刻から除去終了条件が適用された時刻までの期間のいずれかの期間に対応し、時刻ｔｓは除去開始時刻、時刻ｔｅは除去終了時刻に対応することとなる。
【００７６】
図５（ｂ）に示す実線は、図５（ａ）に示す現在トレンドグラフＡ１に対して、特定期間Ｔの現在トレンドデータが除去され、時刻ｔｓの現在トレンドデータと時刻ｔｅの現在トレンドデータが時間的に連続されて接合されグラフ化された現在トレンドグラフＡ２を示し、破線は参照トレンドグラフＢを示す。
【００７７】
図５（ｂ）に示すように、現在トレンドグラフＡ２は、プラントの監視及び管理を行うことができない特定期間Ｔが除去されているため、運転監視及び管理状態であることを前提とした参照トレンドグラフＢと運転監視及び管理状態ではない現在トレンドグラフが表示されることがなくなると共に、特定期間Ｔ経過後（時刻ｔｅ後）の参照トレンドグラフＢが現在トレンドグラフよりも中断期間Ｔの時間だけ進んだデータを示すグラフとならず、時刻ｔｅ以降の時刻であっても現在トレンドデータＡ２と参照トレンドデータＢとを比較することができる。
【００７８】
以上のように、本実施の形態によれば、中断期間が存在しても、中断期間を特定期間として、現在トレンドデータから特定期間のデータの除去が行われ、特定期間の開始時刻と終了時刻の現在トレンドデータとが時間的に連続するように接合されるため、特定期間の現在トレンドデータが除去された現在トレンドデータに基づく現在トレンドグラフと参照トレンドグラフとが重ね合わされて、重ね合わせトレンドグラフとして表示手段の画面上に表示させることができる。従って、特定期間経過後の参照トレンドグラフが現在トレンドグラフよりも特定期間の時間だけ進んだグラフとならず、特定期間以降の時刻であっても現在トレンドグラフと参照トレンドグラフとを時系列的に対応して重ね合わせることができるため、プラントの操作性及び監視効率の向上を図ることができる。
【図面の簡単な説明】
【００７９】
【図１】本実施の形態におけるプラント情報管理システム３のシステム構成図である。
【図２】アラーム及びイベントデータの一例である。
【図３】除去開始・終了条件ＤＢ２３の例である。
【図４】本実施の形態におけるトレンドデータの重ね合わせ処理のフローチャートである。
【図５】重ね合わせトレンドグラフの一例である。
【図６】従来のプラント情報管理システム１のシステム構成図の一例である。
【符号の説明】
【００８０】
１、３  プラント情報管理システム
２  プロセス制御システム
１０、６０  制御手段
１１  データ収集手段
１２  検索手段
１３  重ね合わせ手段
１４  トレンド編集手段
２０、７０  記憶手段
２１  トレンドＤＢ
２２  運転停止期間ＤＢ２２
２３  除去開始・終了条件ＤＢ
３０  操作手段
４０  表示手段
５０  外部Ｉ／Ｆ
Ａ１、Ａ２  現在トレンドデータ
Ｂ  参照トレンドデータ
【図１】
0004497055.tif 000002
【図２】
0004497055.tif 000003
【図３】
0004497055.tif 000004
【図４】
0004497055.tif 000005
【図５】
0004497055.tif 000006
【図６】
0004497055.tif 000007